(57)【要約】薄壁外側ジャケット（２４）内に収容した有孔管（２２）から成る有孔外側支持構造体に配列した有孔ファイバー（２０）を有する光ファイバー構造体。有孔ファイバー（２０）は多数の孔のリングから成る有孔クラッドで包囲した中実コアを備え得る。本発明により、既存のファイバー製造技術を用いて相対的に容易にマイクロメーターサイズの微細構造のコア特性を有する丈夫で被覆され且つジャケットに入れたファイバーを製造することができる。この改良は、支持構造体の熱容量を低減する外側有孔構造体の結果であり、ファイバー製造工程中に小孔特性を信頼性及び制御性を備えて保持可能にする。
2004507783.tif 000002
【特許請求の範囲】
【請求項１】
有孔外側支持構造体に配列した有孔ファイバーを含む光ファイバー構造体。
【請求項２】
前記有孔外側支持構造体は前記有孔ファイバーの横方向特徴寸法の少なくとも５倍よりも大きい横方向特徴寸法を有する請求項１の光ファイバー構造体。
【請求項３】
前記有孔外側支持構造体は前記有孔ファイバーの横方向特徴寸法の少なくとも１０倍よりも大きい横方向特徴寸法を有する請求項１の光ファイバー構造体。
【請求項４】
前記有孔ファイバーは有孔クラッドで包囲される中実又は中空コアを備える請求項１乃至３のいずれか１項の光ファイバー構造体。
【請求項５】
前記有孔クラッドは有孔クラッドのまわりに同心の多数のリングに配列される空洞を含む請求項４の光ファイバー構造体。
【請求項６】
前記リングの数が２個である請求項５の光ファイバー構造体。
【請求項７】
前記リングの数が３個、４個、５個又は６個である請求項５の光ファイバー構造体。
【請求項８】
前記有孔ファイバーは管状構造体に収容され、前記有孔外側支持構造体は管状構造体のまわりに配置される多数の管状構造体を含む請求項１乃至７のいずれか１項の光ファイバー構造体。
【請求項９】
前記管状構造体は前記有孔ファイバーの横方向寸法の１／５乃至５倍の横方向寸法を有する請求項８の光ファイバー構造体。
【請求項１０】
前記管状構造体は前記有孔ファイバーの横方向寸法の１／２乃至２倍の横方向寸法を有する請求項８の光ファイバー構造体。
【請求項１１】
前記有孔外側支持構造体が更に管状構造体の構造を包囲する外側ジャケットを含む請求項１乃至１０のいずれか１項の光ファイバー構造体。
【請求項１２】
光ファイバー予備成形体であって、（ａ）コアロッドと、
（ｂ）コアロッドのまわりに配列した多数のクラッド毛管と、（ｃ）クラッド毛管を収容する内側ジャケットと、（ｄ）内側ジャケットのまわりに配列した多数の支持毛管と、を含む光ファイバー予備成形体。
【請求項１３】
更に支持毛管を収容する外側ジャケットを含む請求項１２の光ファイバー予備成形体。
【請求項１４】
前記支持毛管は前記内側ジャケットの横方向寸法の１／５乃至５倍の横方向寸法を有する請求項１２又は１３の光ファイバー予備成形体。
【請求項１５】
前記支持毛管は前記内側ジャケットの横方向寸法の１／２乃至２倍の横方向寸法を有する請求項１２又は１３の光ファイバー予備成形体。
【請求項１６】
前記コアロッドは中空である請求項１２乃至１５のいずれか１項の光ファイバー予備成形体。
【請求項１７】
前記コアロッドは中実である請求項１２乃至１６のいずれか１項の光ファイバー予備成形体。
【請求項１８】
前記クラッド毛管はコアロッドのまわりに同心の多数のリングに配列される請求項１２乃至１７のいずれか１項の光ファイバー予備成形体。
【請求項１９】
前記リングの数が２個である請求項１８の光ファイバー予備成形体。
【請求項２０】
前記リングの数が３個、４個、５個又は６個である請求項５の光ファイバー予備成形体。
【請求項２１】
有孔光ファイバー予備成形体を製造する方法であって、（ａ）第１ジャケット内にコアロッド及び多数のクラッド毛管を配列する工程、（ｂ）管状組立体を形成するように第１ジャケット及び多数の支持毛管を配列する工程、及び（ｃ）管状組立体を予備成形体に減縮する工程、を含む方法。
【請求項２２】
有孔ファイバーを製造する方法であって、（ａ）請求項２１の方法により有孔光ファイバー予備成形体を形成する工程、及び（ｂ）有孔光ファイバー予備成形体から有孔ファイバーを引き抜く工程を含む方法。
【請求項２３】
支持毛管が第２ジャケット内に配列される請求項２１又は２２の方法。
【請求項２４】
有孔外側支持構造体に配列される有孔ファイバー構造体に沿って光を案内する方法であって、前記光は前記有孔ファイバーを通る横断平面内に延びるモードフィールドを有し、前記モードフィールドは、有孔ファイバーを越えて有孔外側支持構造体内に延びるパワーの１０％、５％、２％、１％、０．５％、０．０１％の１つより少ないように、有孔ファイバー内に画定される方法。
【発明の詳細な説明】
【０００１】
【発明の属する技術分野】
本発明は、有孔ファイバー（ｈｏｌｅｙ ｆｉｒｅｓ）に、並びに有孔ファイバー及び有孔ファイバー予備成形体の製造方法に関する。
【０００２】
有孔ファイバーは光ファイバーであり、それの光学コンファインメント（ｃｏｎｆｉｎｅｍｅｎｔ；閉じ込め）機構及び特性は、ファイバーを長手方向に走る空洞で画定された気孔のアレイによって影響される。光は２つの別個の機構によって有孔ファイバー内を案内され得る。第１に、気孔の周期的配列により、光子バンドギャップ効果によって案内が得られ得る［非特許文献１参照］。第２に、案内は容積平均屈折率効果によって得られ得る。この第２の案内機構は気孔の周期性には依存しない［特許文献１参照］。
【０００３】
一般に、有孔ファイバーは、有孔クラッド領域で包囲された中実コア（添付図面の図１Ａ）又は中空コア（添付図面の図１Ｂ）を備える。例示した有孔ファイバーは、孔径ｄ、相互孔間隔即ちピッチＡにより特徴付けられた孔構造をもつ。
【０００４】
有孔ファイバー構造体は、大きな管内に稠密に詰めた六角形アレイに管状毛管を重ね合わせることで作られ、大きな管は毛管を収容する外側ジャケット即ちケーシングを形成する。図１Ａに示すような中実コア有孔ファイバーを形成する場合には、管状毛管の一つは重ね合わせ体から取除かれ、そして同じ外寸の中実ロッドに代えられる。図１Ｂに示すような中空コア有孔ファイバーを形成する場合には、重ね合わせ体の中央の多数の毛管が取除かれる。そしてファイバー重ね合わせ体は、キャニング処理によって予備成形体に引伸ばされ、そしてファイバー絞り成形タワーに入れられ、ファイバーに絞り成形される。その後、完成した有孔ファイバー構造体は、有孔クラッドで包囲された内側コア（中実又は中空）によって特徴付けられる。有孔ファイバー製造については更に非特許文献２、３に開示される。
【０００５】
多くの応用に適した有孔ファイバーを実現するために、相互孔間隔即ちピッチＡが１−２ミクロンのような相対的に小さな孔特徴サイズをもつ有孔ファイバーを製造するのが望ましい。このような小さな孔特徴サイズをもつ有孔ファイバーは、短い波長での異常分散、高い光学非線形性及び空気中の大きなエバンセントフィールドに対する可能性のような重要でユニークな多数の特性をもつ。
【０００６】
小さなピッチの要求を満たすために、比較的小さな毛管で予備成形体構造を構成する必要がある。毛管のサイズが小さいために、予備成形体キャニング及びファイバー絞り成形処理中に有利に取扱うのに十分大きな構造体を提供するためには数百の毛管要素が必要である。更に、実際には、製造したファイバーは約８０ミクロン以上の外径をもつ必要がある。しかし、これらの要求を満たすために必要な多数の小さな毛管は、作るのが困難であると共に弱いファイバーとなる。
【０００７】
改良は、添付図面の図２に示すように、比較的厚い壁をもつ外側ジャケット内に毛管を重ね合わせることにある。図２は、内側円筒状空間を画定する厚壁シリカ外側ジャケット１を示し、内側円筒状空間には、シリカクラッド毛管２の２つのリングが配置され、これら２つのリングは、中心に位置した中実シリカコア４のまわりに同心に配列される。図示例では、外側ジャケット１の内側空間にはバイコア管（ｖｙｃｏｒｅ ｔｕｂｅ）３によって付加的にスリーブが設けられる。図面の頂部に記された寸法は、事例としての予備成形体の寸法をミリメーター（ｍｍ）で表し、一方、図面の底部における寸法は、目標ファィバ―の寸法をミクロン（μｍ）で表す。厚壁外側ジャケットの使用により、必要とされる毛管の数を大幅に低減できるという利点がある。
【０００８】
厚壁外側ジャケットの研究は他のグループによってなされてきた。しかし、少なくとも本発明者らの経験では、そのような厚壁外側ジャケット構造体を用いた場合、製造過程のファィバー絞り成形段階で、小さな孔の特徴を信頼でき且制御可能に維持することは困難であることが証明された。この問題は、厚壁構造体における空気とガラスの比較的小さな比率及び予備成形体がファイバー絞り成形工程において引張りタワー炉において熔融されるので外側ジャケットのガラスの比較的大きな熱容量に起因する。
【０００９】
【非特許文献１】
ＴＡ Ｂｉｒｋｓ等のＥｌｅｃｔｒｏｎｉｃ Ｌｅｔｔｅｒｓ ３１巻 １９４１−１９４３頁（１９９５年）
【特許文献１】
ＤｉＧｉｏｖａｎｎｉ等の米国特許第５，８０２，２３６号、Ｌｕｃｅｎｔ Ｔｅｃｈｎｏｌｏｇｉｅｓ Ｉｎｃ．
【非特許文献２】
ＰＪ Ｂｅｎｎｔｔ等のＯｐｔｉｃｓ Ｌｅｔｔｅｒｓ ２４巻 １２０３−１２０５頁（１９９９年）
【非特許文献３】
ＰＪ Ｂｅｎｎｔｔ等のＣＬＥＯ ’９９、ＣＷＦ６４、２９３頁
【００１０】
【発明が解決しようとする課題】
従って、本発明の目的は、比較的小さな特徴サイズをもつ有孔ファイバーを製造する改良された方法を提供することにある。
【００１１】
【発明の概要】
本発明の第１の特徴によれば、有孔外側支持構造体に配列した有孔ファイバーを有する光ファイバー構造体が提供される。
【００１２】
有孔外側支持構造体の横方向特徴寸法は好ましくは有孔ファイバーの横方向特徴寸法の少なくとも５倍又は１０倍大きい。有孔ファイバーは、コアのまわりに同心に多数のリング、例えば２−６個以上のリングに配列した空洞を備え得る有孔クラッドで包囲した中実又は中空コアを備える。
【００１３】
有孔外側支持構造体は、有利には、管状構造体の構成からなり、各々有孔ファイバーとほぼ同じ横方向寸法をもつ。管状構造体の横方向寸法は、有孔ファイバーの横方向寸法の１／５乃至５倍、好ましくは有孔ファイバーの横方向寸法の１／２乃至２倍である。有孔外側支持構造体は有利には更に管状構造体を包囲する外側ジャケットを備える。
【００１４】
本発明を実施した光ファイバー構造体は、微細構造横断面をもち、有孔ファイバー自体の微細構造は、有孔ファイバーによって案内された光の波長のスケールであるが、有孔ファイバーを支持する外側有孔構造体内では相当に粗い（例えば波長の５倍、１０倍、又はそれ以上）スケールである。本発明では、比較的容易に既存のファイバー製造技術を用いて微細構造のコア特徴をもつ強くて被覆され、ジャケット付きのファイバーを製作できる。
【００１５】
本発明の第２の特徴によれば、（ａ）コアロッドと、（ｂ）コアロッドのまわりに配列した多数のクラッド毛管と、（ｃ）クラッド毛管を収容する内側ジャケットと、（ｄ）内側ジャケットのまわりに配列した多数の支持毛管とを含む光ファイバー予備成形体が提供される。更に、光ファイバー予備成形体は支持毛管を収容する外側ジャケットを有し得る。
【００１６】
本発明の第３の特徴によれば、（ａ）第１ジャケット内にコアロッド及び多数のクラッド毛管を配列する工程、（ｂ）管状組立体を形成するように第１ジャケット及び多数の支持毛管を配列する工程、及び（ｃ）管状組立体を予備成形体に減縮する工程を含む有孔光ファイバー予備成形体の製造方法が提供される。支持毛管は外側ジャケット内に配列され得る。
【００１７】
本発明の第４の特徴によれば、（ａ）本発明の第３の特徴による方法で有孔光ファイバー予備成形体を形成すること；及び（ｂ）有孔光ファイバー予備成形体から有孔ファイバーを引張することから成る有孔ファイバーの製造方法が提供される。支持毛管は外側ジャケット内に配列され得る。
【００１８】
本発明の第５の特徴によれば、有孔外側支持構造体に配列した有孔ファイバーを有し、光が有孔ファイバーを通る横断平面にのびるモードフィールドをもち、モードフィールドが主として有孔ファイバーに画定される有孔ファイバー構造体に沿った光の案内方法が提供される。言い換えれば、構造体は、有孔外側支持構造体が内部に収容された有孔ファイバーの光学案内特性に重大な仕方で影響しないように構成される。好ましくは、モードフィールドは有孔ファイバーを越えて有孔外側支持構造体内にのびるパワーの１０％、５％、２％、１％、０．５％、０．０１％の１つより少ないように、有孔ファイバーに画定される。
【００１９】
【発明の実施の形態】
本発明をより良く理解しそして本発明がどのように実施され得るかを示すために、以下例として添付図面が参照される。相対的に厚い壁を備えた熱容量の大きなジャケットを相対的に微細な構造の内側中空管に適用する問題を解決するために、次の実施の形態にの解決手段が採用された。その実施の形態は、図２の従来技術の厚壁外側ジャケットを、外側の薄壁ジャケット及び比較的大きな毛管の内側成層体の組合せにより置換するように示され得る。コア及び有孔クラッドを収容する微細構造の中空管は大きなスケールの毛管によって支持される。
【００２０】
図３は、この解決手段による有孔ファイバー予備成形体の端面図である。予備成形体はファイバーの絞り成形後に有孔ファイバーを形成する要素を収容する内側中空管１４を備える。この図面からは明らかではないが、中央領域は中実コアロッドを備え、この中実コアロッドはコアロッドのまわりに配列した多数の小さな毛管で包囲され、最終的にはファイバーの有孔クラッドを形成する。ロッド及び毛管は、内側中空管の外側表面を成す内側ジャケット内に保持される。
【００２１】
コアロッドのまわりの同心の一つ以上のリングに小さなクラッド毛管が配列される。ほとんどの有孔ファイバー応用に対してクラッド毛管の通常少なくとも二つのリングが必要とされる。実際には、二つが好ましい数である。というのは二つは多くの応用において望ましい光学特性を得るため最少数のリングを表すからである。リングの数はより多くでもよく、例えば３個、４個、５個、６個又はそれ以上でもよいが、毛管の数が非常に多くなると、従来技術に関して前に説明したように製造が難しくなる。
【００２２】
内側中空管１４は、内側中空管１４のまわりに配列した相対的に大きな寸法の多数の支持毛管１２によって支持される。支持毛管は、相対的に薄い外側ジャケット１０内に保持される。代わりの実施の形態では、外側ジャケットは省略され得、支持毛管は頂部及び底部で互いに溶着されてからそれらを互いに保持するため引張られる。図面から分かるように、支持毛管の外径は内側中空管１４の外径とほぼ同じであり、従って、内側中空管は六角形の稠密に詰めたアレイに支持毛管と共に配列され得る。更に一般的には、支持毛管は内側中空管と同じ程度の大きさの横方向寸法をもつのが有利である。好ましくは、支持毛管は、内側中空管の１／５乃至５倍、一層特に内側ジャケットの１／２乃至２倍の横方向寸法もつ。
【００２３】
毛管は、種々の仕方で作ることができる。代表的には、毛管の出発点は大きな寸法の管である。大きな寸法の管は、押出、圧延及び穴あけ、研磨、孔抜き、スピン・回転流し込み、他の注入法（例えば埋め込み注入）、加圧成形、直接接合などによって作ることができる。これらの管はファイバー引き伸ばしタワーを用いて予備成形組立体に必要な寸法まで径縮される。
【００２４】
この予備成形体構造では、有孔ファイバーの中央領域をかさばらせないのに用いた支持構造体の熱容量は、従来技術で用いた厚壁外側ジャケットに比べて相当に低減される。従って予備成形体を引張り、そして有孔ファイバーの中央領域付近内に微細構造の所望の形態を維持することは容易である。
【００２５】
こうしてファイバー絞り成形の次の主要な段階のために完全な予備成形体ガ用意される。絞り成形のため、予備成形体はファイバー絞り成形タワーに配置される。ファイバー絞り成形は、約１０６ポアズの粘度範囲でシリカ又は他のガラスを制御下で加熱及び（又は）冷却することによって行われる。ファイバーの絞り成形中にファイバーの直径及び張力をモニタし、そして自動フィードバックループにおいて得られたデータを用いて予備成形対の送り速度、ファイバーの絞り成形速度及び（又は）一様なファイバー直径を得るために炉に関する他のパラメーターを制御することは有用である。
【００２６】
予備成形体をファイバー形態に引張るのに使用した絞り成形タワーの主要な構成要素は加熱源であり、この加熱源はグラファイト抵抗ヒーター又は無線周波数（ＲＦ）炉であることができる。二つの規準を満たすようにファイバー絞り成形温度及び従ってガラスの粘度を制御することは重要である。第１に、ファイバー絞り成形温度はガラスを軟化させて、ガラスを変形できそして結晶化せずにファイバーに引き伸ばすことができる粘度となるようにしなければならない。第２に、ガラスの軟化は、決定的な内部構造す、即ち孔、潰れ及び流れが一緒に起こるように大きくてはならない。炉のホット領域の上下で冷却が行なわれる。この冷却により、ガラスはホット領域の外側でそれの結晶化温度以下に冷却されて保たれる。
【００２７】
図４には、図３に示す種類の予備成形体から絞り成形した本発明の一実施の形態による有孔ファイバー構造体を断面図で示す。予備成形体の基本構造は絞り成形した有孔ファイバー構造体において保持されることが明らかである。即ち、絞り成形した有孔ファイバー構造体は、有孔外側支持構造体に配列した有孔ファイバー２０を備える。有孔外側支持構造体は、ほぼ２５０ミクロンの外径の相対的に薄壁の外側ジャケット２４によって横方向に接合した管状構造体２２を備える。外寸は好ましくは少なくとも８０ミクロンである。外寸の好ましい範囲は１−５ｍｍの間に対して８０ミクロンである。構造体の中央における有孔ファイバーの内部構造は図４で見ることができるが、図５の拡大図で更によく見ることができる。
【００２８】
図５は、図４に示す有孔ファイバー構造体の中心領域の拡大図である。有孔ファイバーは中実コア３２を有し、この中実コア３２はコアのまわりにほぼ同心に配列した孔リングから成るクラッド３０で包囲される。孔は絞り成形処理の現実性のためコアのまわりに完全な円を形成しないことが理解される。従って用語同心は本明細書では幾何学的に厳格な意味では捉えられない。クラッドは予備成形体の外側ジャケットの残りの部分２８で包囲される。本発明の他の実施の形態では、例えば光結晶ファイバーの場合、コアは中実の代わりに中空でもよい。
【００２９】
図５の有孔ファイバーのように、種々の寸法のある範囲の他の同様に毛管支持型有孔ファイバーが引張された。比較のために、本発明者らは図２に関して説明した従来技術に従って厚い外側ジャケットをもつファイバーを作ろうと試みたが、コアの構造上一体性が失われる結果となった。一方では有孔ファイバーとの間でまた他方では支持管との間で横方向特徴サイズに大きな変化が現れる。支持毛管の外径は好ましくは、有孔ファイバー２０の外径の少なくとも５倍又は１０倍大きい。
【００３０】
図４において、有孔ファイバー２０の外径は支持毛管２２の外径より僅かに小さいことがわかる。一般に、これら二つの横方向寸法は似ている。特に、好ましくは、管状支持構造体２２の横方向寸法は有孔ファイバーの横方向寸法の１／５乃至５倍の、一層特に有孔ファイバーの横方向寸法の１／２乃至２倍の範囲である。
【００３１】
図６は、本発明による別の有孔ファイバー予備成形体の中心領域の横断面図である。この例では、予備成形体に非常に多数のクラッド毛管が用いられ、クラッド内に非常に多数のほぼ同心の孔リングを形成する。その他の点に関しては、図６の例は前の説明から理解される。
【００３２】
上記の実施の形態は有孔ファイバー予備成形体の基材として管を用いるが、有孔支持構造体か又は構造体の有孔クラッド部分に他の形状を用いることもできることが理解される。有孔外側支持構造体及び有孔クラッドは所望の特性を得るのに十分な数のギャップ即ち空洞を備えれば十分である。また、支持構造体における孔構造は一般的に、ファイバー導波管モードが通常有孔クラッドの外側では有意パワーをもたないので、ファイバーの光学特性に影響しないことが理解される。周期的又は非周期的構造を用いてもよい。又はイバーが光結晶効果をもつようにされなければ、クラッドにおける孔は周期的である必要はないことが理解される。
【００３３】
本発明による有孔ファイバー構造体は、有孔ファイバーが重要であると前に提案された多くの分野に応用され得る。一つの応用はセンシングである。流体、即ち、気体又は液体はファイバー空洞に存在することが提案された。流体の特性は、有孔クラッド領域に伝搬する光学モードの部分、通常はエバンセント波部分における影響によって感知される。有孔ファイバーについて提案された別の応用は、低損失通信ファイバーに対してである。伝搬損失は、ファイバーのガラス領域に対して孔と組合さった低損失によって有孔ファイバーにおいて低減される。一層基本的には、光バンドギャップをもつ有孔ファイバーは光結晶効果により損失を低減できる。
【００３４】
関心のある幾つかの特殊な応用は、（１）高パワーの光線の伝送（低光学非線形ファイバー）、（２）伝送装置の低損失光ファイバー、（３）光学センサー（気体検出、液体成分、医療）、（４）原子力光学、（５）顕微鏡的粒子の光学操作、（６）粒子分離（質量、誘引分極化性、電気的ダイポールモーメントによる）、（７）ラーマンレーザー、（８）非線形光学装置、（９）特定の気体吸収線に対するレーザーの照合、（１０）度量衡学、（１１）伝送方式における分散補償（本発明を具現化する有孔ファイバー構造体は高分散を示すように作られ得る）である。
【図面の簡単な説明】
【図１Ａ】中実コア有孔ファイバーの概略断面図。
【図１Ｂ】中空コア有孔ファイバーの概略断面図。
【図２】従来技術による有孔ファイバー予備成形体の概略線図。
【図３】本発明の実施の形態による有孔ファイバー予備成形体の端面図。
【図４】本発明の実施の形態による有孔ファイバー構造体の断面図。
【図５】図４の有孔ファイバー構造体の有孔ファイバー領域の拡大図。
【図６】本発明の別の実施の形態による有孔ファイバー構造体の有孔ファイバー領域の断面図である。
【図２】
2004507783.tif 000003
【国際公開パンフレット】
2004507783.tif 000004
2004507783.tif 000005
2004507783.tif 000006
2004507783.tif 000007
2004507783.tif 000008
2004507783.tif 000009
2004507783.tif 000010
2004507783.tif 000011
2004507783.tif 000012
2004507783.tif 000013
2004507783.tif 000014
2004507783.tif 000015
2004507783.tif 000016
2004507783.tif 000017
2004507783.tif 000018
2004507783.tif 000019
2004507783.tif 000020
2004507783.tif 000021
2004507783.tif 000022
2004507783.tif 000023
2004507783.tif 000024
【手続補正書】
【提出日】平成14年7月19日(2002.7.19)
【手続補正１】
【補正対象書類名】明細書
【補正対象項目名】特許請求の範囲
【補正方法】変更
【補正の内容】
【特許請求の範囲】
【請求項１】
光ファイバー構造体であって、有孔外側支持構造体内に配列される有孔ファイバーを含み、該有孔ファイバーは管状構造体に収容され、前記有孔外側支持構造体は管状構造体のまわりに配置される多数の管状構造体を含む光ファイバー構造体。
【請求項２】
前記有孔外側支持構造体は前記有孔ファイバーの横方向寸法の少なくとも５倍よりも大きい横方向寸法を有する請求項１の光ファイバー構造体。
【請求項３】
前記有孔外側支持構造体は前記有孔ファイバーの横方向寸法の少なくとも５倍よりも大きい横方向寸法を有する請求項１の光ファイバー構造体。
【請求項４】
前記有孔ファイバーは有孔クラッドで包囲される中実又は中空のコアを含む請求項１乃至３のいずれか１項の光ファイバー構造体。
【請求項５】
前記有孔クラッドは前記コアのまわりに同心の多数のリングに配列される空洞を含む請求項４の光ファイバー構造体。
【請求項６】
前記リングの数が２個である請求項５の光ファイバー構造体。
【請求項７】
前記リングの数が３個、４個、５個又は６個である請求項５の光ファイバー構造体。
【請求項８】
前記有孔外側支持構造体の管状構造体は前記有孔ファイバーの横方向寸法の１／５乃至５倍の横方向寸法を有する請求項１乃至７のいずれか１項の光ファイバー構造体。
【請求項９】
前記有孔外側支持構造体の管状構造体は前記有孔ファイバーの横方向寸法の１／２乃至２倍の横方向寸法を有する請求項１乃至７のいずれか１項の光ファイバー構造体。
【請求項１０】
前記有孔外側支持構造体が更に管状構造体の構造を包囲する外側ジャケットを含む請求項１乃至９のいずれか１項の光ファイバー構造体。
【請求項１１】
光ファイバー予備成形体であって、（ａ）コアロッドと、
（ｂ）コアロッドのまわりに配列される多数のクラッド毛管と、（ｃ）クラッド毛管を収容する内側ジャケットと、（ｄ）内側ジャケットのまわりに配列される多数の支持毛管と、を含む光ファイバー予備成形体。
【請求項１２】
更に前記支持毛管を収容する外側ジャケットを含む請求項１１の光ファイバー予備成形体。
【請求項１３】
前記支持毛管は前記内側ジャケットの横方向寸法の１／５乃至５倍の横方向寸法を有する請求項１１又は１２の光ファイバー予備成形体。
【請求項１４】
前記支持毛管は前記内側ジャケットの横方向寸法の１／２乃至２倍の横方向寸法を有する請求項１１又は１２の光ファイバー予備成形体。
【請求項１５】
前記コアロッドは中空である請求項１１乃至１４のいずれか１項の光ファイバー予備成形体。
【請求項１６】
前記コアロッドは中実である請求項１１乃至１４のいずれか１項の光ファイバー予備成形体。
【請求項１７】
前記クラッド毛管は前記コアロッドのまわりに同心の多数のリングに配列される請求項１１乃至１６のいずれか１項の光ファイバー予備成形体。
【請求項１８】
前記リングの数が２個である請求項１７の光ファイバー予備成形体。
【請求項１９】
前記リングの数が３個、４個、５個又は６個である請求項１７の光ファイバー予備成形体。
【請求項２０】
有孔光ファイバー予備成形体を製造する方法であって、（ａ）第１ジャケット内にコアロッド及び多数のクラッド毛管を配列する工程、（ｂ）管状組立体を形成するように第１ジャケット及び多数の支持毛管を配列する工程、及び（ｃ）管状組立体を予備成形体に減縮する工程、を含む方法。
【請求項２１】
有孔ファイバーを製造する方法であって、（ａ）請求項２０の方法により有孔光ファイバー予備成形体を形成する工程、及び（ｂ）有孔光ファイバー予備成形体から有孔ファイバーを引き抜く工程を含む方法。
【請求項２２】
前記支持毛管は第２ジャケット内に配列される請求項２０又は２１の方法。
【請求項２３】
光を光ファイバーに沿って案内する方法であって、有孔外側支持構造体内に配列される有孔ファイバーを含む光ファイバー構造体を使用する工程、及び光が有孔ファイバーを通る横断平面に延びるモードフィールドを有するように配置する工程を含み、前記有孔ファイバーは管状構造体に収容され、前記有孔外側支持構造体は管状構造体のまわりに配置される多数の管状構造体を含み、前記モードフィールドは有孔ファイバーを越えて有孔外側支持構造体内に延びるパワーの１０％、５％、２％、１％、０．５％、０．０１％の１つより少ないように、有孔ファイバーに画定される方法。
【国際調査報告】
2004507783.tif 000025
2004507783.tif 000026
2004507783.tif 000027